(57)【要約】【課題】通信端末から印刷装置に画像データを提供する際のユーザーの負担を軽減し得る印刷装置、サーバー装置、印刷システム、及び印刷方法を提供する。【解決手段】保存領域確保要求部２２は、サーバー装置５０に対して、画像印刷の依頼に応じた特定画像データの保存領域７２の確保を要求する。画像コード生成部２３は、保存領域７２へのアクセス用ＵＲＬが記録されたＱＲコードＡｃ＿ＱＲを生成する。表示制御部２４は、ＱＲコードＡｃ＿ＱＲを表示部４０に表示する。特定画像データ取得部２５は、アクセス用ＵＲＬを用いてサーバー装置５０から特定画像データＰｄａｔを取得する。印刷制御部２６は、特定画像データを印刷部４３に入力して画像を印刷する。【選択図】図１
2020044769.tif 000002
【特許請求の範囲】
【請求項１】
画像印刷の依頼を受け付ける画像印刷受付部と、
表示部と、
画像データを入力して、該画像データに応じた画像を印刷する印刷部と、
前記画像印刷受付部が前記画像印刷の依頼を受け付けたときに、画像データを保存するサーバー装置に対して、前記画像印刷の依頼に応じた特定画像データの保存領域の確保を要求する保存領域確保要求部と、
前記保存領域へのアクセス情報が記録された画像コードを生成する画像コード生成部と、
前記画像コードを前記表示部に表示させる表示制御部と、
前記保存領域に保存された前記特定画像データを、前記アクセス情報を用いて前記サーバー装置から取得する特定画像データ取得部と、
前記特定画像データ取得部により取得された前記特定画像データを前記印刷部に入力して、前記特定画像データに応じた画像を前記印刷部により印刷させる印刷制御部と
を備える印刷装置。
【請求項２】
前記印刷部による前記特定画像データに応じた画像の印刷が終了したときに、前記サーバー装置に対して、前記保存領域に保存された前記特定画像データの消去を要求する画像データ消去要求部を備える請求項１に記載の印刷装置。
【請求項３】
記憶部と、
画像印刷の依頼を受け付ける印刷装置からの要求に従って、特定画像データを保存するための保存領域を前記記憶部に確保する保存領域確保部と、
前記保存領域へのアクセス情報を、前記印刷装置に送信するアクセス情報送信部と、
前記印刷装置に対して前記画像印刷の依頼を行ったユーザーが所持するユーザー通信端末から前記特定画像データを受信し、該受信した前記特定画像データを前記保存領域に保存する画像データ保存制御部と、
前記印刷装置から前記アクセス情報を用いた前記特定画像データの送信要求を受信したときに、前記保存領域に保存された前記特定画像データを前記印刷装置に送信する特定画像データ送信部と
を備えるサーバー装置。
【請求項４】
前記特定画像データが前記保存領域に保存された時点から所定時間が経過した時に、前記保存領域から前記特定画像データを消去する画像データ消去部を備える請求項３に記載のサーバー装置。
【請求項５】
前記アクセス情報による前記保存領域へのアクセス可能期間を制限するアクセス可能期間制限部を備える請求項３又は請求項４に記載のサーバー装置。
【請求項６】
画像印刷の依頼を受け付ける画像印刷受付部と、
表示部と、
画像データを入力して、該画像データに応じた画像を印刷する印刷部と、
前記画像印刷受付部が前記画像印刷の依頼を受け付けたときに、画像データを保存するサーバー装置に対して、前記画像印刷の依頼に応じた特定画像データの保存領域の確保を要求する保存領域確保要求部と、
前記保存領域へのアクセス情報が記録された画像コードを生成する画像コード生成部と、
前記画像コードを前記表示部に表示させる表示制御部と、
前記保存領域に保存された前記特定画像データを、前記アクセス情報を用いて前記サーバー装置から取得する特定画像データ取得部と、
前記特定画像データ取得部により取得された前記特定画像データを前記印刷部に入力して、前記特定画像データに応じた画像を前記印刷部により印刷させる印刷制御部とを有する印刷装置と、
記憶部と、
前記印刷装置からの前記保存領域の確保の要求に従って、前記保存領域を前記記憶部に確保する保存領域確保部と、
前記アクセス情報を、前記印刷装置に送信するアクセス情報送信部と、
前記印刷装置に対して前記画像印刷の依頼を行ったユーザーが所持するユーザー通信端末から前記特定画像データを受信し、該受信した前記特定画像データを前記保存領域に保存する画像データ保存制御部と、
前記印刷装置から前記アクセス情報を用いた前記特定画像データの送信要求を受信したときに、前記保存領域に保存された前記特定画像データを前記印刷装置に送信する特定画像データ送信部とを有するサーバー装置と
を備える印刷システム。
【請求項７】
前記印刷装置は、前記印刷部による前記特定画像データに応じた画像の印刷が終了したときに、前記サーバー装置に対して、前記保存領域に保存された前記特定画像データの消去を要求する画像データ消去要求部を備え、
前記サーバー装置は、前記特定画像データの消去の要求に応じて、前記保存領域から前記特定画像データを消去する画像データ消去部を備える請求項６に記載の印刷システム。
【請求項８】
前記サーバー装置は、前記特定画像データが前記保存領域に保存された時点から所定時間が経過した時に、前記保存領域から前記特定画像データを消去する画像データ消去部を備える請求項６に記載の印刷システム。
【請求項９】
前記サーバー装置は、前記アクセス情報による前記保存領域へのアクセス可能期間を制限するアクセス可能期間制限部を備える請求項６から請求項８のうちいずれか１項に記載の印刷システム。
【請求項１０】
表示部及び印刷部を有する印刷装置により実行される印刷方法であって、
画像印刷の依頼を受け付ける画像印刷受付ステップと、
前記画像印刷受付ステップにより前記画像印刷の依頼を受け付けたときに、画像データを保存するサーバー装置に対して、前記画像印刷の依頼に応じた特定画像データの保存領域の確保を要求する保存領域確保要求ステップと、
前記保存領域へのアクセス情報が記録された画像コードを生成する画像コード生成ステップと、
前記画像コードを前記表示部に表示させる表示制御ステップと、
前記保存領域に保存された前記特定画像データを、前記アクセス情報を用いて前記サーバー装置から取得する特定画像データ取得ステップと、
前記特定画像データ取得ステップにより取得された前記特定画像データを前記印刷部に入力して、前記特定画像データに応じた画像を前記印刷部により印刷させる印刷制御ステップと
を含む印刷方法。
【請求項１１】
前記印刷部による前記特定画像データに応じた画像の印刷が終了したときに、前記サーバー装置に対して、前記保存領域に保存された前記特定画像データの消去を要求する画像データ消去要求ステップを含む請求項１０に記載の印刷方法。
【発明の詳細な説明】
【技術分野】
【０００１】
本発明は、印刷装置、サーバー装置、印刷システム、及び印刷方法に関する。
【背景技術】
【０００２】
従来、写真プリントのサービスを行う店舗に受付端末を設置し、店舗を訪れたユーザーが所持する通信端末から受付端末に画像データを転送させて画像をプリントする画像印刷受付システムが提案されている（例えば、特許文献１参照）。特許文献１に記載された画像印刷受付システムにおいては、受付端末とユーザーが所持する通信端末との間で無線通信を行うことにより、通信端末から受付端末に画像データを提供している。
【先行技術文献】
【特許文献】
【０００３】
【特許文献１】特開２００２−３１２１３５号公報
【発明の概要】
【発明が解決しようとする課題】
【０００４】
本発明は、通信端末から印刷装置に画像データを提供する際のユーザーの負担を軽減し得る印刷装置、サーバー装置、印刷システム、及び印刷方法を提供することを目的する。
【課題を解決するための手段】
【０００５】
上記目的を達成する好ましい一態様として、画像印刷の依頼を受け付ける画像印刷受付部と、表示部と、画像データを入力して、該画像データに応じた画像を印刷する印刷部と、前記画像印刷受付部が前記画像印刷の依頼を受け付けたときに、画像データを保存するサーバー装置に対して、前記画像印刷の依頼に応じた特定画像データの保存領域の確保を要求する保存領域確保要求部と、前記保存領域へのアクセス情報が記録された画像コードを生成する画像コード生成部と、前記画像コードを前記表示部に表示させる表示制御部と、前記保存領域に保存された前記特定画像データを、前記アクセス情報を用いて前記サーバー装置から取得する特定画像データ取得部と、前記特定画像データ取得部により取得された前記特定画像データを前記印刷部に入力して、前記特定画像データに応じた画像を前記印刷部により印刷させる印刷制御部とを備える印刷装置が挙げられる。
【０００６】
上記印刷装置において、前記印刷部による前記特定画像データに応じた画像の印刷が終了したときに、前記サーバー装置に対して、前記保存領域に保存された前記特定画像データの消去を要求する画像データ消去要求部を備える構成としてもよい。
【０００７】
上記目的を達成する好ましい一態様として、記憶部と、画像印刷の依頼を受け付ける印刷装置からの要求に従って、特定画像データを保存するための保存領域を前記記憶部に確保する保存領域確保部と、前記保存領域へのアクセス情報を、前記印刷装置に送信するアクセス情報送信部と、前記印刷装置に対して前記画像印刷の依頼を行ったユーザーが所持するユーザー通信端末から前記特定画像データを受信し、該受信した前記特定画像データを前記保存領域に保存する画像データ保存制御部と、前記印刷装置から前記アクセス情報を用いた前記特定画像データの送信要求を受信したときに、前記保存領域に保存された前記特定画像データを前記印刷装置に送信する特定画像データ送信部とを備えるサーバー装置が挙げられる。
【０００８】
上記サーバー装置において、前記特定画像データが前記保存領域に保存された時点から所定時間が経過した時に、前記保存領域から前記特定画像データを消去する画像データ消去部を備える構成としてもよい。
【０００９】
上記サーバー装置において、前記アクセス情報による前記保存領域へのアクセス可能期間を制限するアクセス可能期間制限部を備える構成としてもよい。
【００１０】
上記目的を達成する好ましい一態様として、画像印刷の依頼を受け付ける画像印刷受付部と、表示部と、画像データを入力して、該画像データに応じた画像を印刷する印刷部と、前記画像印刷受付部が前記画像印刷の依頼を受け付けたときに、画像データを保存するサーバー装置に対して、前記画像印刷の依頼に応じた特定画像データの保存領域の確保を要求する保存領域確保要求部と、前記保存領域へのアクセス情報が記録された画像コードを生成する画像コード生成部と、前記画像コードを前記表示部に表示させる表示制御部と、前記保存領域に保存された前記特定画像データを、前記アクセス情報を用いて前記サーバー装置から取得する特定画像データ取得部と、前記特定画像データ取得部により取得された前記特定画像データを前記印刷部に入力して、前記特定画像データに応じた画像を前記印刷部により印刷させる印刷制御部とを有する印刷装置と、記憶部と、前記印刷装置からの前記保存領域の確保の要求に従って、前記保存領域を前記記憶部に確保する保存領域確保部と、前記アクセス情報を、前記印刷装置に送信するアクセス情報送信部と、前記印刷装置に対して前記画像印刷の依頼を行ったユーザーが所持するユーザー通信端末から前記特定画像データを受信し、該受信した前記特定画像データを前記保存領域に保存する画像データ保存制御部と、前記印刷装置から前記アクセス情報を用いた前記特定画像データの送信要求を受信したときに、前記保存領域に保存された前記特定画像データを前記印刷装置に送信する特定画像データ送信部とを有するサーバー装置とを備える印刷システムが挙げられる。
【００１１】
上記印刷システムにおいて、前記印刷装置は、前記印刷部による前記特定画像データに応じた画像の印刷が終了したときに、前記サーバー装置に対して、前記保存領域に保存された前記特定画像データの消去を要求する画像データ消去要求部を備え、前記サーバー装置は、前記特定画像データの消去の要求に応じて、前記保存領域から前記特定画像データを消去する画像データ消去部を備える構成としてもよい。
【００１２】
上記印刷システムにおいて、前記サーバー装置は、前記特定画像データが前記保存領域に保存された時点から所定時間が経過した時に、前記保存領域から前記特定画像データを消去する画像データ消去部を備える構成としてもよい。
【００１３】
上記印刷システムにおいて、前記サーバー装置は、前記アクセス情報による前記保存領域へのアクセス可能期間を制限するアクセス可能期間制限部を備える構成としてもよい。
【００１４】
上記目的を達成する好ましい一態様として、表示部及び印刷部を有する印刷装置により実行される印刷方法であって、画像印刷の依頼を受け付ける画像印刷受付ステップと、前記画像印刷受付ステップにより前記画像印刷の依頼を受け付けたときに、画像データを保存するサーバー装置に対して、前記画像印刷の依頼に応じた特定画像データの保存領域の確保を要求する保存領域確保要求ステップと、前記保存領域へのアクセス情報が記録された画像コードを生成する画像コード生成ステップと、前記画像コードを前記表示部に表示させる表示制御ステップと、前記保存領域に保存された前記特定画像データを、前記アクセス情報を用いて前記サーバー装置から取得する特定画像データ取得ステップと、前記特定画像データ取得ステップにより取得された前記特定画像データを前記印刷部に入力して、前記特定画像データに応じた画像を前記印刷部により印刷させる印刷制御ステップとを含む印刷方法が挙げられる。
【００１５】
上記印刷方法において、前記印刷部による前記特定画像データに応じた画像の印刷が終了したときに、前記サーバー装置に対して、前記保存領域に保存された前記特定画像データの消去を要求する画像データ消去要求ステップを含む構成としてもよい。
【００１６】
上記目的を達成する態様は、上述した印刷装置、サーバー装置、印刷システム、及び印刷方法以外の種々の形態で実現されてもよい。例えば、上記の印刷装置、サーバー装置、印刷システム、及び印刷方法を実現するためのコンピューターまたはプロセッサーのプログラムであってもよい。或いは、上記プログラムを記録した記録媒体、プログラムを配信するサーバー装置、上記プログラムを伝送する伝送媒体、上記プログラムを搬送波内に具現化したデータ信号等であってもよい。
【図面の簡単な説明】
【００１７】
【図１】印刷システムの構成図。
【図２】ユーザーのスマートフォンからサーバー装置に特定画像データをアップロードする処理のフローチャート。
【図３】サーバー装置から印刷装置に特定画像データをダウンロードして画像を印刷する処理のフローチャート。
【図４】サーバー装置の特定画像データアップロード領域にアクセスするための画像コードの表示画面の説明図。
【図５】印刷する画像の選択画面の説明図。
【発明を実施するための形態】
【００１８】
［１．印刷システムの構成］
図１は、本発明を適用した実施形態における印刷システム１の構成図である。印刷システム１は印刷装置１０とサーバー装置５０とにより構成されている。以下では、印刷システム１により、ユーザーＰに対して画像印刷のサービスを提供する実施形態について説明する。
【００１９】
印刷装置１０とサーバー装置５０は、通信ネットワーク５００を介して相互に通信を行う。また、サーバー装置５０は、ユーザーＰが所持しているスマートフォン９０との間で、通信ネットワーク５００を介して通信を行う。スマートフォン９０は、本発明のユーザー通信端末に相当し、カメラ９１とタッチパネル９２とを備えている。なお、ユーザー通信端末はスマートフォンに限られず、サーバー装置５０との通信が可能であって、カメラを備えた携帯電話、タブレット端末、ノートパソコン等であってもよい。
【００２０】
印刷装置１０は、画像印刷サービスを提供する写真プリント店等に設置され、ユーザーＰからの画像印刷の依頼を受付けて、写真用紙に画像を印刷する。印刷装置１０は、印刷装置ＣＰＵ２０、印刷装置メモリー３０、表示部４０、入力部４１、印刷装置通信部４２、及び印刷部４３を備えている。
【００２１】
表示部４０は、例えば液晶パネル等のフラットタイプのディスプレイであり、ユーザーＰに対するガイド画面等を表示する。入力部４１は、表示部４０の表面に配置されたタッチスイッチ、マウス、キーボート等の入力デバイスであり、ユーザーＰによる入力操作を受け付ける。印刷装置通信部４２は、通信ネットワーク５００を介してサーバー装置５０等の外部装置との間で通信を行うためのインターフェース回路である。印刷部４３は、画像データを入力して、画像データにより記録された画像を写真用紙に印刷する。
【００２２】
印刷装置メモリー３０には、印刷装置制御用プログラム３１が保存されている。また、印刷装置メモリー３０には、ユーザーＰが印刷を依頼した画像のデータである特定画像データを一時的に保存するための特定画像データダウンロード領域３２が確保されている。
【００２３】
印刷装置ＣＰＵ２０は、印刷装置メモリー３０に保存された印刷装置制御用プログラム３１を読み込んで実行することにより、画像印刷受付部２１、保存領域確保要求部２２、画像コード生成部２３、及び表示制御部２４として機能する。さらに、印刷装置ＣＰＵ２０は、特定画像データ取得部２５、印刷制御部２６、及び画像データ消去要求部２７として機能する。印刷装置ＣＰＵ２０は、１又は複数のプロセッサーで構成されてもよい。
【００２４】
なお、画像印刷受付部２１により実行される処理は、本発明の印刷方法における画像印刷受付ステップに相当し、保存領域確保要求部２２により実行される処理は保存領域確保要求ステップに相当する。また、画像コード生成部２３により実行される処理は画像コード生成ステップに相当し、表示制御部２４により実行される処理は表示制御ステップに相当し、特定画像データ取得部２５により実行される処理は特定画像データ取得ステップに相当する。また、印刷制御部２６により実行される処理は印刷制御ステップに相当し、画像データ消去要求部２７により実行される処理は画像データ消去要求ステップに相当する。
【００２５】
画像印刷受付部２１は、表示部４０に画像印刷の受付画面を表示し、ユーザーＰによる入力部４１への入力操作に応じて画像印刷の依頼を受け付ける。保存領域確保要求部２２は、画像印刷受付部２１によりユーザーＰによる画像印刷の依頼が受け付けられたときに、サーバー装置５０に対して、特定画像データの保存領域の確保を要求する。
【００２６】
画像コード生成部２３は、サーバー装置５０から通知されたアクセス用ＵＲＬを含むＱＲコード（登録商標）を生成する。アクセス用ＵＲＬは本発明のアクセス情報に相当し、ＱＲコードは本発明の画像コードに相当する。本発明の画像コードは、カメラによる画像の読込みと読込んだ画像からの記録情報の抽出が可能である文字若しくは図形画像であればよい。詳細は後述するが、アクセス用ＵＲＬは、スマートフォン９０からサーバー装置５０に特定画像データをアップロードする際、及びサーバー装置５０に保存された特定画像データを、印刷装置１０にダウンロードする際に用いられる。図１では、特定画像データをＰｄａｔで示している。
【００２７】
表示制御部２４は、画像コード生成部２３により生成されたＱＲコードを、表示部４０に表示する。ユーザーＰは、表示部４０に表示されたＱＲコードを、スマートフォン９０のカメラ９１により撮像する。図１では、撮像されたＱＲコードＡｃ＿ＱＲがタッチパネル９２に表示された状態を示している。
【００２８】
ユーザーＰは、スマートフォン９０のアプリケーションプログラムにより、ＱＲコードに記録されたアクセス用ＵＲＬを用いてサーバー装置５０が提供するウェブページにアクセスする。そして、ユーザーＰは、スマートフォン９０のメモリーに保存された特定画像データを、サーバー装置５０にアップロードする。
【００２９】
特定画像データ取得部２５は、アクセス用ＵＲＬを用いてサーバー装置５０にアクセスし、サーバー装置５０から特定画像データをダウンロードして印刷装置メモリー３０の特定画像データダウンロード領域３２に保存する。印刷制御部２６は、特定画像データを印刷部４３に入力して、特定画像データに記録された画像を写真用紙に印刷する。画像データ消去要求部２７は、アクセス用ＵＲＬを用いてサーバー装置５０にアクセスし、サーバー装置５０に対して特定画像データの消去を要求する。
【００３０】
以上説明したように、ユーザーＰは、印刷装置１０の表示部４０に表示されるＱＲコードを、スマートフォン９０のカメラ９１で撮影することにより、サーバー装置５０にアクセスして特定画像データをアップロードする。そして、サーバー装置５０から印刷装置１０に特定画像データが転送されて、特定画像データに記録された画像が写真用紙に印刷される。
【００３１】
この場合、ユーザーＰは、印刷装置１０とスマートフォン９０との間で有線或いは無線による通信を確立して、特定画像データを転送する必要がない。そのため、ユーザーＰは、ＷｉＦｉ（登録商標）等の無線通信のセッティングに不慣れな場合であっても、特定画像データを印刷装置に提供して画像印刷の依頼を容易に行うことができ、また、スマートフォン９０の規格に合った通信ケーブルを用意する必要もない。さらに、ユーザーＰは、印刷装置１０に特定画像データを送信するための専用アプリケーションを、スマートフォン９０にインストールする必要もない。
【００３２】
サーバー装置５０は、サーバー装置ＣＰＵ６０、サーバー装置メモリー７０、及びサーバー装置通信部８０を備えている。サーバー装置メモリー７０は、本発明の記憶部に相当する。サーバー装置通信部８０は、通信ネットワーク５００を介して外部装置との間で通信を行うためのインターフェース回路である。
【００３３】
サーバー装置メモリー７０には、サーバー装置制御用プログラム７１が保存され、特定画像データを一時的に保存するための特定画像データアップロード領域７２が確保されている。特定画像データアップロード領域７２は、本発明の特定画像データの保存領域に相当する。
【００３４】
サーバー装置ＣＰＵ６０は、サーバー装置メモリー７０に保存されたサーバー装置制御用プログラム７１を読み込んで実行することにより、保存領域確保部６１、アクセス情報送信部６２、及び画像データ保存制御部６３として機能する。さらに、サーバー装置ＣＰＵ６０は、特定画像データ送信部６４、画像データ消去部６５、及びアクセス可能期間制限部６６として機能する。
【００３５】
保存領域確保部６１は、印刷装置１０からの特定画像データの保存領域確保の要求に応じて、サーバー装置メモリー７０に、特定画像データアップロード領域７２を確保する。アクセス情報送信部６２は、特定画像データアップロード領域７２にアクセスするためのＵＲＬであるアクセス用ＵＲＬを生成して、印刷装置１０に通知する。
【００３６】
画像データ保存制御部６３は、ユーザーＰのスマートフォン９０から送信される特定画像データを受信して、特定画像データアップロード領域７２に保存する。特定画像データ送信部６４は、特定画像データアップロード領域７２に保存した特定画像データを、印刷装置１０に転送する。
【００３７】
画像データ消去部６５は、印刷装置１０からの特定画像データの消去の要求に応じて、特定画像データアップロード領域７２に保存された特定画像データを消去する。アクセス可能期間制限部６６は、アクセス用ＵＲＬによる特定画像データアップロード領域７２へのアクセス可能期間を制限する。制限期間は、例えば、アクセス情報送信部６２が印刷装置１０にアクセス用ＵＲＬを通知した時点から１時間等に設定される。このように制限期間を設けることにより、ユーザーＰに対する画像印刷のサービスが完了した後も、特定画像データアップロード領域７２へのアクセスが可能な状態が継続することを回避して、サーバー装置５０のセキュリティの向上を図ることができる。
【００３８】
［２．印刷システムによる画像印刷サービスの処理］
図２〜図３に示したフローチャートに従って、印刷システム１により提供される画像印刷サービスの一連の処理について説明する。以下では、図１に示した状況で、ユーザーＰの依頼に応じて、印刷システム１が画像印刷のサービスを提供する場合について説明する。
【００３９】
図２のステップＳ１で、印刷装置１０の画像印刷受付部２１は、「デバイスとの接続開始ボタン」を含む画像印刷の受付画面を、表示部４０に表示する。続くステップＳ２で、ユーザーＰが「デバイスとの接続開始ボタン」をタッチ操作したときに、画像印刷受付部２１は、ステップＳ３に処理を進める。ステップＳ３で、保存領域確保要求部２２は、サーバー装置５０に対して、特定画像データのアップロード領域の確保を要求する領域確保要求Ｕｄａ＿ｒｅｑを送信する。
【００４０】
サーバー装置５０の保存領域確保部６１は、ステップＳ３０で、領域確保要求Ｕｄａ＿ｒｅｑの受信に応じて、サーバー装置メモリー７０に、特定画像データアップロード領域７２を確保する。続くステップＳ３１で、アクセス情報送信部６２は、特定画像データアップロード領域７２にアクセスするためのアクセス用ＵＲＬを作成する。そして、次のステップＳ３２で、アクセス情報送信部６２は、アクセス用ＵＲＬを示すアクセス用ＵＲＬ通知Ａｃ＿ＵＲＬを、印刷装置１０に送信する。
【００４１】
印刷装置１０の画像コード生成部２３は、ステップＳ４で、アクセス用ＵＲＬ通知Ａｃ＿ＵＲＬを受信し、アクセス用ＵＲＬを示すＱＲコードを生成する。続くステップＳ５で、表示制御部２４は、図４に示したように、表示部４０に、ＱＲコードＡｃ＿ＱＲと、ＱＲコードＡｃ＿ＱＲの読み取りを促すガイダンス１０１とを表示する。
【００４２】
ユーザーＰが所持するスマートフォン９０は、ステップＳ５０で、ユーザーＰによる撮影操作に応じて、印刷装置１０の表示部４０に表示されたＱＲコードＡｃ＿ＱＲを、カメラ９１により撮影する。続くステップＳ５１で、スマートフォン９０は、撮影したＱＲコードＡｃ＿ＱＲから、アクセス用ＵＲＬを認識し、アクセス用ＵＲＬで指定されたウェウブページをタッチパネル９２（図１参照）に表示する。
【００４３】
次のステップＳ５３で、スマートフォン９０は、図５に示したように、スマートフォン９０のメモリー（図示しない）に保存された画像をタッチパネル９２（図１参照）に一覧表示する。図５は、選択対象の画像１１０〜１１２と、選択確定用のボタン１２０が表示された状態を例示している。図５は画像１１０が選択された状態を示しており、画像１１０に選択された状態であることを示す外枠１１０ａが表示されている。この状態で、ユーザーＰがボタン１２０をタッチ操作することにより、画像１１０が印刷対象として確定する。続くステップＳ５４で、スマートフォン９０は、ステップＳ５３で選択された画像のデータである特定画像データＰｄａｔを、サーバー装置５０に送信する。
【００４４】
サーバー装置５０の画像データ保存制御部６３は、ステップＳ３３で、スマートフォン９０から送信された特定画像データＰｄａｔを受信して、サーバー装置メモリー７０の特定画像データアップロード領域７２に保存する。画像データ保存制御部６３は、特定画像データＰｄａｔの特定画像データアップロード領域７２への保存を完了したときに、図３のステップＳ３４で、アップロード完了通知Ｐｄｕ＿ｃｐｔを、印刷装置１０に送信する。
【００４５】
印刷装置１０の特定画像データ取得部２５は、ステップＳ６でサーバー装置５０からアップロード完了通知Ｐｄｕ＿ｃｐｔを受信したときにステップＳ７に処理を進める。ステップＳ７で、特定画像データ取得部２５は、特定画像データの送信を要求する特定画像データ要求Ｐｄａｔ＿ｒｅｑを、サーバー装置５０に送信する。
【００４６】
サーバー装置５０の特定画像データ送信部６４は、ステップＳ３５で、印刷装置１０から送信された特定画像データ要求Ｐｄａｔ＿ｒｅｑの受信に応じて、特定画像データアップロード領域７２に保存された特定画像データＰｄａｔを、印刷装置１０に送信する。
【００４７】
印刷装置１０の特定画像データ取得部２５は、ステップＳ２５で、サーバー装置５０から送信された特定画像データＰｄａｔを受信して、印刷装置メモリー３０の特定画像データダウンロード領域３２に保存する。続くステップＳ９で、印刷制御部２６は、特定画像データＰｄａｔに記録された画像を表示部４０に一覧表示する。そして、印刷制御部２６は、ユーザーＰによる入力部４１の操作に応じて、印刷対象とする画像の選択、印刷枚数の指定、選択された画像の印刷範囲のトリミング等の処理を行う。
【００４８】
次のステップＳ１０で、印刷制御部２６は、選択された画像のデータを特定画像データＰｄａｔから抽出して印刷部４３に入力することにより、画像印刷を実行する。ユーザーＰは、印刷部４３により印刷された写真用紙を受け取り、これにより画像印刷サービスが完了する。続くステップＳ１１で、画像データ消去要求部２７は、特定画像データＰｄａｔの消去を要求する特定画像消去要求Ｐｄｄ＿ｒｅｑを、サーバー装置５０に送信する。
【００４９】
サーバー装置５０の画像データ消去部６５は、印刷装置１０から送信された特定画像消去要求Ｐｄｄ＿ｒｅｑの受信に応じて、サーバー装置メモリー７０の特定画像データアップロード領域７２に保存された特定画像データＰｄａｔを消去する。これにより、ユーザーＰの個人情報が含まれる可能性がある特定画像データＰｄａｔの流出防止を図っている。
【００５０】
続くステップＳ３７で、画像データ消去部６５は、特定画像データＰｄａｔの消去が完了したことを示す消去完了通知Ｐｄｄ＿ｃｐｔを、印刷装置１０に送信する。次のステップＳ３８で、アクセス可能期間制限部６６は、ステップＳ３１でアクセス用ＵＲＬが生成された時点から所定時間が経過したときに、アクセス用ＵＲＬを無効にする。これにより、ユーザーＰに対する画像印刷サービスが完了した後も、サーバー装置５０の特定画像データアップロード領域７２へのアクセスが可能な状態が維持されることを、回避することができる。
【００５１】
印刷装置１０の画像データ消去要求部２７は、ステップＳ１２で、サーバー装置５０から消去完了通知Ｐｄｄ＿ｃｐｔを受信したときにステップＳ１３に処理を進める。そして、画像データ消去要求部２７は、ステップＳ１３で、画像印刷サービスが完了したことを示す完了メッセージを表示部４０に表示して、画像印刷サービスを終了する。
【００５２】
［３．他の実施形態］
上記実施形態では、図３のステップＳ３６において、サーバー装置５０の画像データ消去部６５は、印刷装置１０から送信された消去要求Ｐｄｄ＿ｒｅｑの受信に応じて、特定画像データアップロード領域７２に保存された特定画像データを消去した。他の構成として、図２のステップＳ３３で特定画像データが特定画像データアップロード領域７２に保存された時点から所定時間が経過した時に、特定画像データアップロード領域７２に保存された特定画像データを消去する構成としてもよい。
【００５３】
上記実施形態では、図３のステップＳ６〜Ｓ７において、特定画像データ取得部２５は、サーバー装置５０から送信されたアップロード完了通知Ｐｄｕ＿ｃｐｔを受信したときに、サーバー装置５０に対して特定画像データの送信要求Ｐｄａｔ＿ｒｅｑを送信した。他の構成として、特定画像データ取得部２５が、所定周期でサーバー装置５０に特定画像データのアップロードの完了の有無を問い合わせて、アップロードが完了した旨の回答があったときに、特定画像データの送信を要求する構成としてもよい。
【００５４】
上記実施形態では、画像データ消去部６５により、印刷部４３による画像印刷が完了したときに、特定画像データアップロード領域７２から特定画像データを消去する処理を行ったが、この消去を行わない場合でも本発明の効果を得ることができる。
【００５５】
上記実施形態では、アクセス可能期間制限部６６により、アクセス用ＵＲＬにより特定画像データアップロード領域７２へのアクセス可能期間を制限したが、この制限を行わない場合にも本発明の効果を得ることができる。
【００５６】
図１に示した機能ブロックのうち少なくとも一部は、ハードウェアで実現してもよいし、ハードウェアとソフトウェアの協働により実現される構成としてもよく、図に示した通りに独立したハードウェア資源を配置する構成に限定されない。印刷装置ＣＰＵ２０、サーバー装置ＣＰＵ６０が実行するプログラムは、印刷装置メモリー３０、サーバー装置メモリー７０に限らず、印刷装置１０及びサーバー装置５０とは別体として構成される記憶装置に記憶されてもよい。また、印刷装置ＣＰＵ２０又はサーバー装置ＣＰＵ６０が、外部の装置に記憶されたプログラムを取得して実行する構成としてもよい。
その他、印刷装置１０或いはサーバー装置５０を構成する機器の他の各部の具体的な細部構成についても、本発明の趣旨を逸脱しない範囲で任意に変更可能である。
【符号の説明】
【００５７】
１…印刷システム、１０…印刷装置、２０…印刷装置ＣＰＵ、２１…画像印刷受付部、２２…保存領域確保要求部、２３…画像コード生成部、２４…表示制御部、２５…特定画像データ取得部、２６…印刷制御部、２７…画像データ消去要求部、３０…印刷装置メモリー、３１…印刷装置制御用プログラム、３２…特定画像データダウンロード領域、４０…表示部、４１…入力部、４２…印刷装置通信部、４３…印刷部、５０…サーバー装置、６０…サーバー装置ＣＰＵ、６１…保存領域確保部、６２…アクセス情報送信部、６３…画像データ保存制御部、６４…特定画像データ送信部、６５…画像データ消去部、６６…アクサス可能期間制限部、７０…サーバー装置メモリー、７１…サーバー装置制御用プログラム、７２…特定画像データアップロード領域、８０…サーバー装置通信部、９０…スマートフォン（ユーザー通信端末）、９１…カメラ、９２…タッチパネル、５００…通信ネットワーク、Ｐ…ユーザー。
【図１】
2020044769.tif 000003
【図２】
2020044769.tif 000004
【図３】
2020044769.tif 000005
【図４】
2020044769.tif 000006
【図５】
2020044769.tif 000007